(57)【要約】  【課題】  調理機器の設置されている環境に応じたメニューを優先的に表示し、使用者の操作性を向上させた調理機器を提供することである。  【解決手段】  調理機器１は、調理メニューを記憶する記憶部２と、調理メニューを表示／選択決定するタッチパネル３と、調理動作を制御するマイクロコンピュータ１１と、現在の環境を測定する環境測定部（時計５、温度計６、湿度計７、ＧＰＳ受信機８）を備え、マイクロコンピュータ１１は、現在の環境に基づいて調理メニューの優先順位を決定し、該優先順位に従ってタッチパネル３に調理メニューを表示する構成とする。【選択図】      図１
2005195272.tif 000002
【特許請求の範囲】
【請求項１】
調理メニューを記憶する記憶部と、調理メニューを表示する表示部と、調理メニューを選択決定する操作部と、調理動作を制御する制御部と、現在の環境を測定する環境測定部とを備え、
前記制御部は、現在の環境に基づいて調理メニューの優先順位を決定し、該優先順位に従って前記表示部に調理メニューを表示することを特徴とする調理機器。
【請求項２】
前記環境測定部が時計であり、前記現在の環境は現在の時刻であることを特徴とする請求項１記載の調理機器。
【請求項３】
前記環境測定部が時計であり、前記現在の環境は現在の季節であることを特徴とする請求項１記載の調理機器。
【請求項４】
前記環境測定部が温度計であり、前記現在の環境は現在の気温であることを特徴とする請求項１記載の調理機器。
【請求項５】
前記環境測定部が湿度計であり、前記現在の環境は現在の湿度であることを特徴とする請求項１記載の調理機器。
【請求項６】
前記環境測定部がＧＰＳ受信機であり、前記現在の環境は現在の位置であることを特徴とする請求項１記載の調理機器。
【発明の詳細な説明】
【技術分野】
【０００１】
本発明は、内蔵された調理メニューに従って加熱する調理機器に関するものである。
【背景技術】
【０００２】
近年、マイクロコンピュータや表示装置の進化によって、表示装置にメニュー選択キーを備え、内蔵された多種多様なメニューに基づいて調理することができる調理機器が既に実用化されている。
【０００３】
例えば、特許文献１には、操作パネル上に調理法の複数の大分類の中から一分類を指定する複数個のジャンルキーを設け、これらジャンルキーの何れかを操作することにより指定された一分類の調理法の表示データを記憶手段より読み出して、その表示データに対応する表示内容を表示手段上に表示する調理機器が開示されている。
【０００４】
そして、操作パネル上に表示手段の側縁に沿って表示内容の選択を行う複数個の選択キーを設けるとともに、指定された一分類の調理法に関する表示内容の各項目を選択キーに対応するように表示手段上に表示させ、その表示手段上に表示された表示内容の所定の項目を選択キーにて選択することにより、その選択された所定の項目に対する調理法に移行する構成としている。
【特許文献１】特開平１０−２６３５４号公報
【発明の開示】
【発明が解決しようとする課題】
【０００５】
しかしながら、特許文献１では、内蔵された多種多様な全メニューは一画面で表示できないので、調理ジャンル毎に分類されていたり、階層構造をもっていたりしている。従って、所望のメニューを選ぶ場合、何度もキーを押しながら画面を変えて行き、探していくといった操作が必要であり、内蔵されたメニューが多種多様になるほど、操作が煩雑化する。
【０００６】
本発明は、調理機器の設置されている環境に応じたメニューを優先的に表示し、使用者の操作性を向上させた調理機器を提供することを目的とする。
【課題を解決するための手段】
【０００７】
上記目的を達成するために本発明は、内蔵された調理メニューに従って加熱する調理機器において、調理機器がおかれている現在の環境を測定する環境測定部を備え、現在の環境に基づいて調理メニューの優先順位を決定し、該優先順位に従って調理メニューを表示するものである。
【０００８】
なお、上記の環境測定部としては、時計、温度計、湿度計、ＧＰＳ受信機等を用いることができる。その際、現在の環境としては、時刻、季節、気温、湿度、設置位置等となる。
【発明の効果】
【０００９】
本発明によると、現在の環境に応じた調理メニューを優先的に表示させることにより、使用者は所望の調理メニューを素早く見つけることができる。従って、使用者の調理メニュー選択操作の回数が減り、使用者は快適に調理機器を使用することができる。
【発明を実施するための最良の形態】
【００１０】
図１は、調理機器１の概略構成を示すブロック図、図２は調理機器の外観正面図である。
【００１１】
図１に示すように、調理機器１は、調理メニューや調理法を記憶する記憶部２と、調理メニューを表示する表示部及び調理メニューを選択決定する操作部を兼ね備えたタッチパネル３と、キーによる入力を受けるキー操作部４と、日時を刻む時計５と、室内の気温を計測する温度計６と、室内の湿度を計測する湿度計７と、ＧＰＳ（Global Positioning System）衛星を用いて現在位置を計測するＧＰＳ受信機８と、加熱出力部９と、電源回路１０と、調理動作や各部を制御するマイクロコンピュータ（以下、マイコンと記す）１１とを備えている。ここで、時計５、温度計６、湿度計７、ＧＰＳ受信機８は調理機器１の設置されている現在の環境を測定するものであり、全てまとめて環境測定部と呼ぶ。
【００１２】
また図２に示すように、調理機器１の正面外観は、加熱室（不図示）の前面に設けられた扉１２と、扉１２に取り付けられた取手１３と、キー操作部４であるケーキキー４ａ及びスタートキー４ｂと、タッチパネル３とから構成される。
【００１３】
図３はケーキメニューが表示されたタッチパネル３を示す図、図４は通常メニューが表示されたタッチパネル３を示す図、図１０は調理機器１の通常の動作を示すフローチャートである。
【００１４】
図１０のステップＳ１において、使用者により調理メニューのジャンルが選択されると、ステップＳ２へ進んでケーキキー４ａが押下されたか否かを判別する。ステップＳ１においてケーキキー４ａが押下された場合はステップＳ３へ進んでタッチパネル３にケーキメニュー２１を表示する。一方、ステップＳ１においてケーキキー４ａが押下されなかった場合はステップＳ４へ進んでタッチパネル３に通常メニュー２４を表示する。
【００１５】
ここで、全ての調理メニューは記憶部２に記憶されており、調理メニューのジャンルに応じてマイコン１１が所定の調理メニューを順に表示させている。
【００１６】
ステップＳ３又はＳ４で調理メニューが表示されると、ステップＳ５で使用者が所望の調理メニューを選択する。所望のメニューが表示されていない場合は、次画面キー２２に触れると次の調理メニュー候補が表示され、前画面キー２３に触れると一つ前の調理メニューの画面に戻ることができる。
【００１７】
ステップＳ５からステップＳ６へ進んでマイコン１１は調理メニューが選択されたか否かを判別し、調理メニューが選択されればステップＳ７へ進む。ステップＳ７でマイコン１１はスタートキー４ｂが押下されたか否かを判別し、スタートキー４ｂが押下されれば、ステップＳ８へ進む。
【００１８】
ステップＳ８で調理機器１は、加熱出力部９を駆動して加熱室内の食品をメニュー通りに加熱し、調理を実行する。その後、調理が完了すると動作を終了する。
【００１９】
以下に、調理機器１が現在の環境に対応して動作する場合の実施例について説明する。
【実施例１】
【００２０】
実施例１は、環境測定部として時計５を用い、現在の時刻に対応して調理機器１を動作させるものである。図５は朝メニューが表示されたタッチパネル３を示す図、図１１は実施例１の調理機器１の動作を示すフローチャートである。
【００２１】
図１１のステップＳ１０においてマイコン１１が時計５の現在時刻を読み取り、ステップＳ１１へ進んで現在時刻が午前６時から午前９時の間であるか否かを判別する。
【００２２】
ステップＳ１１において現在時刻が午前６時から午前９時の間である場合はステップＳ１２へ進んでタッチパネル３に朝メニュー２５を表示する。一方、ステップＳ１１において現在時刻が午前６時から午前９時の間でない場合はステップＳ１３へ進んでタッチパネル３に通常メニュー２４を表示する。朝メニューとは、朝食に食べることが多い調理メニューを優先的に表示したものである。
【００２３】
ステップＳ１２又はＳ１３で調理メニューが表示されると、ステップＳ１４で使用者が所望の調理メニューを選択する。所望のメニューが表示されていない場合は、次画面キー２２や前画面キー２３を操作して所望の画面を表示させればよい。
【００２４】
ステップＳ１４からステップＳ１５へ進んでマイコン１１は調理メニューが選択されたか否かを判別し、調理メニューが選択されればステップＳ１６へ進む。ステップＳ１６でマイコン１１はスタートキー４ｂが押下されたか否かを判別し、スタートキー４ｂが押下されれば、ステップＳ１７へ進む。
【００２５】
ステップＳ１７で調理機器１は、加熱出力部９を駆動して加熱室内の食品をメニュー通りに加熱し、調理を実行する。その後、調理が完了すると動作を終了する。
【００２６】
なお、実施例１では現在時刻が朝の場合に、朝メニューを優先して表示するようにしたが、昼や夜の場合には昼メニューや夜メニューを優先して表示するようにしてもよい。
【００２７】
このように、現在の時刻に応じた調理メニューを優先的に表示させることにより、使用者は所望の調理メニューを素早く見つけることができる。従って、使用者の調理メニュー選択操作の回数が減り、使用者は快適に調理機器１を使用することができる。
【実施例２】
【００２８】
実施例２は、環境測定部として時計５を用い、現在の季節に対応して調理機器１を動作させるものである。図６はクリスマスメニューが表示されたタッチパネル３を示す図、図１２は実施例２の調理機器１の動作を示すフローチャートである。
【００２９】
図１２のステップＳ２０においてマイコン１１が時計５の現在日時を読み取り、ステップＳ２１へ進んで現在の季節がクリスマス期間であるか否かを判別する。
【００３０】
ステップＳ２１において現在の季節がクリスマス期間である場合はステップＳ２２へ進んでタッチパネル３にクリスマスメニュー２６を表示する。一方、ステップＳ２１において現在の季節がクリスマス期間でない場合はステップＳ２３へ進んでタッチパネル３に通常メニュー２４を表示する。クリスマスメニューとは、クリスマスに食べることが多い調理メニューを優先的に表示したものである。
【００３１】
ステップＳ２２又はＳ２３で調理メニューが表示されると、ステップＳ２４で使用者が所望の調理メニューを選択する。所望のメニューが表示されていない場合は、次画面キー２２や前画面キー２３を操作して所望の画面を表示させればよい。
【００３２】
ステップＳ２４からステップＳ２５へ進んでマイコン１１は調理メニューが選択されたか否かを判別し、調理メニューが選択されればステップＳ２６へ進む。ステップＳ２６でマイコン１１はスタートキー４ｂが押下されたか否かを判別し、スタートキー４ｂが押下されれば、ステップＳ２７へ進む。
【００３３】
ステップＳ２７で調理機器１は、加熱出力部９を駆動して加熱室内の食品をメニュー通りに加熱し、調理を実行する。その後、調理が完了すると動作を終了する。
【００３４】
なお、実施例２では現在の季節がクリスマス期間の場合に、クリスマスメニューを優先して表示するようにしたが、お正月等の他の季節の場合にはその季節に応じた調理メニューを優先して表示するようにしてもよい。
【００３５】
このように、現在の季節に応じた調理メニューを優先的に表示させることにより、使用者は所望の調理メニューを素早く見つけることができる。従って、使用者の調理メニュー選択操作の回数が減り、使用者は快適に調理機器１を使用することができる。
【実施例３】
【００３６】
実施例３は、環境測定部として温度計６を用い、現在の気温に対応して調理機器１を動作させるものである。図７はあったかメニューが表示されたタッチパネル３を示す図、図１３は実施例３の調理機器１の動作を示すフローチャートである。
【００３７】
図１３のステップＳ３０においてマイコン１１が温度計６の温度を読み取り、ステップＳ３１へ進んで現在の気温が２０℃以下であるか否かを判別する。
【００３８】
ステップＳ３１において現在の気温が２０℃以下である場合はステップＳ３２へ進んでタッチパネル３にあったかメニュー２７を表示する。一方、ステップＳ３１において現在の気温が２０℃以下でない場合はステップＳ３３へ進んでタッチパネル３に通常メニュー２４を表示する。あったかメニューとは、寒い時期に食べることが多い調理メニューを優先的に表示したものである。
【００３９】
ステップＳ３２又はＳ３３で調理メニューが表示されると、ステップＳ３４で使用者が所望の調理メニューを選択する。所望のメニューが表示されていない場合は、次画面キー２２や前画面キー２３を操作して所望の画面を表示させればよい。
【００４０】
ステップＳ３４からステップＳ３５へ進んでマイコン１１は調理メニューが選択されたか否かを判別し、調理メニューが選択されればステップＳ３６へ進む。ステップＳ３６でマイコン１１はスタートキー４ｂが押下されたか否かを判別し、スタートキー４ｂが押下されれば、ステップＳ３７へ進む。
【００４１】
ステップＳ３７で調理機器１は、加熱出力部９を駆動して加熱室内の食品をメニュー通りに加熱し、調理を実行する。その後、調理が完了すると動作を終了する。
【００４２】
なお、実施例３では現在の気温が低い場合に、あったかメニューを優先して表示するようにしたが、気温の範囲を設定してその気温に応じた調理メニューを優先して表示するようにしてもよい。
【００４３】
このように、現在の気温に応じた調理メニューを優先的に表示させることにより、使用者は所望の調理メニューを素早く見つけることができる。従って、使用者の調理メニュー選択操作の回数が減り、使用者は快適に調理機器１を使用することができる。
【実施例４】
【００４４】
実施例４は、環境測定部として湿度計７を用い、現在の湿度に対応して調理機器１を動作させるものである。図８はじめじめメニューが表示されたタッチパネル３を示す図、図１４は実施例４の調理機器１の動作を示すフローチャートである。
【００４５】
図１４のステップＳ４０においてマイコン１１が湿度計７の湿度を読み取り、ステップＳ４１へ進んで現在の湿度が７０％以上であるか否かを判別する。
【００４６】
ステップＳ４１において現在の湿度が７０％以上である場合はステップＳ４２へ進んでタッチパネル３にじめじめメニュー２８を表示する。一方、ステップＳ４１において現在の湿度が７０％以上でない場合はステップＳ４３へ進んでタッチパネル３に通常メニュー２４を表示する。じめじめメニューとは、湿度が高い時期に食べることが多い調理メニューを優先的に表示したものである。
【００４７】
ステップＳ４２又はＳ４３で調理メニューが表示されると、ステップＳ４４で使用者が所望の調理メニューを選択する。所望のメニューが表示されていない場合は、次画面キー２２や前画面キー２３を操作して所望の画面を表示させればよい。
【００４８】
ステップＳ４４からステップＳ４５へ進んでマイコン１１は調理メニューが選択されたか否かを判別し、調理メニューが選択されればステップＳ４６へ進む。ステップＳ４６でマイコン１１はスタートキー４ｂが押下されたか否かを判別し、スタートキー４ｂが押下されれば、ステップＳ４７へ進む。
【００４９】
ステップＳ４７で調理機器１は、加熱出力部９を駆動して加熱室内の食品をメニュー通りに加熱し、調理を実行する。その後、調理が完了すると動作を終了する。
【００５０】
なお、実施例４では現在の湿度が高い場合に、じめじめメニューを優先して表示するようにしたが、湿度の範囲を設定してその湿度に応じた調理メニューを優先して表示するようにしてもよい。
【００５１】
このように、現在の湿度に応じた調理メニューを優先的に表示させることにより、使用者は所望の調理メニューを素早く見つけることができる。従って、使用者の調理メニュー選択操作の回数が減り、使用者は快適に調理機器１を使用することができる。
【実施例５】
【００５２】
実施例５は、環境測定部としてＧＰＳ受信機８を用い、現在の位置に対応して調理機器１を動作させるものである。図９は沖縄メニューが表示されたタッチパネル３を示す図、図１５は実施例５の調理機器１の動作を示すフローチャートである。
【００５３】
図１５のステップＳ５０においてマイコン１１がＧＰＳ受信機８で計測された現在位置を読み取り、ステップＳ５１へ進んで現在位置が沖縄地方であるか否かを判別する。
【００５４】
ステップＳ５１において現在位置が沖縄地方である場合はステップＳ５２へ進んでタッチパネル３に沖縄メニュー２９を表示する。一方、ステップＳ５１において現在位置が沖縄地方でない場合はステップＳ５３へ進んでタッチパネル３に通常メニュー２４を表示する。沖縄メニューとは、沖縄地方の郷土料理の調理メニューを優先的に表示したものである。
【００５５】
ステップＳ５２又はＳ５３で調理メニューが表示されると、ステップＳ５４で使用者が所望の調理メニューを選択する。所望のメニューが表示されていない場合は、次画面キー２２や前画面キー２３を操作して所望の画面を表示させればよい。
【００５６】
ステップＳ５４からステップＳ５５へ進んでマイコン１１は調理メニューが選択されたか否かを判別し、調理メニューが選択されればステップＳ５６へ進む。ステップＳ５６でマイコン１１はスタートキー４ｂが押下されたか否かを判別し、スタートキー４ｂが押下されれば、ステップＳ５７へ進む。
【００５７】
ステップＳ５７で調理機器１は、加熱出力部９を駆動して加熱室内の食品をメニュー通りに加熱し、調理を実行する。その後、調理が完了すると動作を終了する。
【００５８】
なお、実施例５では現在位置が沖縄地方である場合に、沖縄メニューを優先して表示するようにしたが、全国を各地方に分類してその地方に応じた調理メニューを優先して表示するようにしてもよい。
【００５９】
このように、現在位置に応じた調理メニューを優先的に表示させることにより、使用者は所望の調理メニューを素早く見つけることができる。従って、使用者の調理メニュー選択操作の回数が減り、使用者は快適に調理機器１を使用することができる。
【００６０】
なお本発明では、上記の実施例１〜５の環境測定部のうち少なくとも１つを備えていればよい。また、実施例１〜５の環境測定部のいくつか又は全てを組み合わせて備えるようにしてもよい。この場合は、各環境測定部の測定結果に優先順位を設け、その優先順位に基づいて調理メニューを表示すればよい。
【００６１】
図３〜図９では１画面に４つの調理メニューを表示しているが、１画面に表示するメニューの数には特に限定はなく、もっと多くのメニューを表示するようにしてもよい。
【産業上の利用可能性】
【００６２】
本発明の調理機器は、電子レンジやオーブン、それらの複合機等、内蔵された調理メニューに従って加熱する調理機器に利用することができる。
【図面の簡単な説明】
【００６３】
【図１】本発明の調理機器の概略構成を示すブロック図である。
【図２】本発明の調理機器の外観正面図である。
【図３】本発明のケーキメニューが表示されたタッチパネルを示す図である。
【図４】本発明の通常メニューが表示されたタッチパネルを示す図である。
【図５】実施例１の朝メニューが表示されたタッチパネルを示す図である。
【図６】実施例２のクリスマスメニューが表示されたタッチパネルを示す図である。
【図７】実施例３のあったかメニューが表示されたタッチパネルを示す図である。
【図８】実施例４のじめじめメニューが表示されたタッチパネルを示す図である。
【図９】実施例５の沖縄メニューが表示されたタッチパネルを示す図である。
【図１０】本発明の調理機器の通常の動作を示すフローチャートである。
【図１１】実施例１の調理機器の動作を示すフローチャートである。
【図１２】実施例２の調理機器の動作を示すフローチャートである。
【図１３】実施例３の調理機器の動作を示すフローチャートである。
【図１４】実施例４の調理機器の動作を示すフローチャートである。
【図１５】実施例５の調理機器の動作を示すフローチャートである。
【符号の説明】
【００６４】
１    調理機器
２    記憶部
３    タッチパネル
４    キー操作部
５    時計
６    温度計
７    湿度計
８    ＧＰＳ受信機
１１  マイクロコンピュータ
【図１】
2005195272.tif 000003
【図２】
2005195272.tif 000004
【図３】
2005195272.tif 000005
【図４】
2005195272.tif 000006
【図５】
2005195272.tif 000007
【図６】
2005195272.tif 000008
【図７】
2005195272.tif 000009
【図８】
2005195272.tif 000010
【図９】
2005195272.tif 000011
【図１０】
2005195272.tif 000012
【図１１】
2005195272.tif 000013
【図１２】
2005195272.tif 000014
【図１３】
2005195272.tif 000015
【図１４】
2005195272.tif 000016
【図１５】
2005195272.tif 000017